(57)【要約】【課題】  サブバンドの切り替えを検出する。【解決手段】  無線部１２には、周波数ホッピングされた信号が入力される。ふたつの増幅器、すなわち第１増幅部４０と第２増幅部４２は、差動変換部２０から入力した信号を所定の利得によってそれぞれ増幅する。ここで、第１増幅部４０と第２増幅部４２の利得は、周波数ホッピングにおいて規定された複数のサブバンドのうち、同一のサブバンドに対する第１増幅部４０の利得と第２増幅部４２の利得とを乗算した結果が、サブバンド単位で異なるように、規定されている。ミキサー４４は、第１増幅部４０と第２増幅部４２によってそれぞれ増幅された信号をミキシングする。ＤＣ抽出部４６は、ミキサー４４からのミキシングされた信号のうち、直流成分の信号を抽出する。【選択図】  図３
2006101002.tif 000002
【特許請求の範囲】
【請求項１】
周波数ホッピングされた信号を入力する入力部と、
前記入力部に入力した信号を所定の利得によってそれぞれ増幅するふたつの増幅器と、
前記ふたつの増幅器によってそれぞれ増幅された信号をミキシングするミキサーと、
前記ミキサーによってミキシングされた信号の強度を検出する検出部とを備え、
前記ふたつの増幅器の利得は、周波数ホッピングにおいて規定された複数のサブバンドのうち、同一のサブバンドに対する前記ふたつの増幅器の利得を乗算した結果が、サブバンド単位で異なるように、規定されていることを特徴とする信号検出装置。
【請求項２】
前記ふたつの増幅器のうちのひとつの利得は、複数のサブバンドのそれぞれに対して異なるように規定されていることを特徴とする請求項１に記載の信号検出装置。
【請求項３】
前記ふたつの増幅器のうちの残りの利得は、複数のサブバンドのそれぞれに対して略同一になるように規定されていることを特徴とする請求項２に記載の信号検出装置。
【請求項４】
前記ふたつの増幅器のうちの残りの利得は、複数のサブバンドのそれぞれに対して異なるように規定されていることを特徴とする請求項２に記載の信号検出装置。
【請求項５】
前記検出部は、
前記ミキサーによってミキシングされた信号の直流成分をデジタル信号に変換する変換部と、
デジタル信号の値が変化するタイミングを検出したときに、トリガ信号を出力する出力部と、
を備えることを特徴とする請求項１から４のいずれかに記載の信号検出装置。
【請求項６】
所定の利得を有したふたつの増幅器によって、周波数ホッピングされた信号をそれぞれ増幅し、前記ふたつの増幅器によってそれぞれ増幅された信号をミキシングしてから、信号の強度を検出する信号検出方法であって、
前記ふたつの増幅器の利得は、周波数ホッピングにおいて規定された複数のサブバンドのうち、同一のサブバンドに対する前記ふたつの増幅器の利得を乗算した結果が、サブバンド単位で異なるように、規定されていることを特徴とする信号検出方法。
【発明の詳細な説明】
【技術分野】
【０００１】
本発明は、信号検出技術に関し、特に周波数が所定の間隔で変化するような信号を検出する信号検出方法および装置に関する。
【背景技術】
【０００２】
ＦＭ（Ｆｒｅｑｕｅｎｃｙ  Ｍｏｄｕｌａｔｉｏｎ）信号では、所定のタイミングにおいて周波数が切りかわる。ＦＭ復調装置は、ＦＭ信号を受信して、周波数の変化を検出する。このようなＦＭ復調装置には、周波数弁別器や遅延検波器が含まれる。周波数弁別器は、同調回路の周波数を利用し、ＦＭ信号の周波数の変化を電圧として抽出する。また、遅延検波器は、受信したＦＭ信号を分岐し、分岐した経路の一方に遅延回路を設けることによって、ＦＭ信号の周波数の変化を抽出する（例えば、特許文献１参照。）。
【特許文献１】特開２００３−３７４４３号公報  （第２−３項）
【発明の開示】
【発明が解決しようとする課題】
【０００３】
無線通信の分野において、従来からスペクトラム拡散通信方式（ＳＳ）の検討がなされている。スペクトラム拡散通信方式は、直接拡散方式（ＤＳ）と周波数ホッピング方式（ＦＨ）を含む。ＦＨ方式は、搬送波の周波数を符号系列にもとづいて次々とホッピングさせてスペクトル拡散通信を行う。そのため、ＦＨ方式でのスペクトル分布は、長時間観測すると広帯域を占有しているが、ひとつのビットあるいはシンボル単位で観測すると特定の周波数帯域のみを占有した信号であって、ＤＳ方式よりも狭帯域な信号である。そのため、干渉回避型のＳＳであるといえるので、複数のユーザが同一のタイミングに同一周波数で通信する確率が小さくなるという利点を有する。
【０００４】
マルチキャリア方式のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式とＦＨ方式とを組み合わせたマルチバンド・マルチキャリア方式が提案され、これは、ＷＰＡＮ（Ｗｉｒｅｌｅｓｓ  Ｐｅｒｓｏｎａｌ  Ａｒｅａ  Ｎｅｔｗｏｒｋ）に適用されている。ＷＰＡＮとは、無線ＬＡＮよりも狭い範囲の無線ネットワークであり、ＰＤＡや周辺機器間の近距離無線ネットワークである。また、このようなマルチバンド・マルチキャリア方式を使用した超広帯域通信において、数ＧＨｚの帯域の使用が予定されている。
【０００５】
広帯域の信号を使用し、かつ高速な周波数ホッピングを実行する超広帯域通信における周波数の変化を検出するために、狭帯域の信号を処理の対象とした周波数弁別器や遅延検波器の使用は、一般的に、困難である。そのため、受信した信号を高周波帯域からベースバンド帯域まで変換させ、ベースバンド帯域において、デジタル信号処理を実行することによって、周波数ホッピングのパターンを検出する。このように周波数ホッピングパターンを検出する場合、周波数ホッピングパターン数に対応した相関器を設ける必要がある。そのため、回路規模が大きくなる傾向にある。また、受信信号の周波数の変化に応じて、受信装置の周波数変換器に入力すべきローカル信号の周波数も変化させる必要があるが、通常、そのための制御信号はベースバンド処理部において生成される。しかしながら、信号の周波数が短期間のうちに変化する場合、ベースバンド処理部での判定に許容される時間も短いことが要求される。
【０００６】
本発明はこうした状況に鑑みてなされたものであり、その目的は、受信した信号をベースバンド帯域に変換するまでの段階において、ホッピングしている周波数の変化を検出する信号検出方法および装置を提供することにある。
【課題を解決するための手段】
【０００７】
上記課題を解決するために、本発明のある態様の信号検出装置は、周波数ホッピングされた信号を入力する入力部と、入力部に入力した信号を所定の利得によってそれぞれ増幅するふたつの増幅器と、ふたつの増幅器によってそれぞれ増幅された信号をミキシングするミキサーと、ミキサーによってミキシングされた信号の強度を検出する検出部とを備える。ふたつの増幅器の利得は、周波数ホッピングにおいて規定された複数のサブバンドのうち、同一のサブバンドに対するふたつの増幅器の利得を乗算した結果が、サブバンド単位で異なるように、規定されている。
【０００８】
この態様によると、同一のサブバンドに対するふたつの増幅器の利得を乗算した結果が、サブバンド単位で異なるように規定されているので、周波数ホッピングによって信号のサブバンドが変化すれば、ミキサーによってミキシングされた信号の強度も変化し、サブバンドの変化を検出できる。
【０００９】
ふたつの増幅器のうちの残りの利得は、複数のサブバンドのそれぞれに対して略同一になるように規定されていてもよい。
「略同一」とは、完全に同一である必要はなく、ミキシングされた信号の強度での周波数特性に比較して、周波数依存性が小さいという程度でよい。この場合、他方の増幅器の利得が、周波数依存性を有していれば、同一のサブバンドに対するふたつの増幅器の利得を乗算した結果が、サブバンド単位で異なるような特性を実現できる。
【００１０】
検出部は、ミキサーによってミキシングされた信号の直流成分をデジタル信号に変換する変換部と、デジタル信号の値が変化するタイミングを検出したときに、トリガ信号を出力する出力部と、を備えてもよい。この場合、デジタル信号の値が変化するタイミングにおいてトリガ信号の値を変化させるために、デジタル信号の値が変化するタイミングを通知できる。
【００１１】
本発明の別の態様は、信号検出方法である。この方法は、所定の利得を有したふたつの増幅器によって、周波数ホッピングされた信号をそれぞれ増幅し、ふたつの増幅器によってそれぞれ増幅された信号をミキシングしてから、信号の強度を検出する信号検出方法であって、ふたつの増幅器の利得は、周波数ホッピングにおいて規定された複数のサブバンドのうち、同一のサブバンドに対するふたつの増幅器の利得を乗算した結果が、サブバンド単位で異なるように、規定されている。
【００１２】
本発明のさらに別の態様も、信号検出方法である。この方法は、周波数ホッピングされた信号を入力するステップと、入力した信号をふたつの増幅器での所定の利得によってそれぞれ増幅するステップと、ふたつの増幅器によってそれぞれ増幅された信号をミキシングするステップと、ミキシングされた信号の強度を検出するステップとを備える。ふたつの増幅器の利得は、周波数ホッピングにおいて規定された複数のサブバンドのうち、同一のサブバンドに対するふたつの増幅器の利得を乗算した結果が、サブバンド単位で異なるように、規定されている。
【００１３】
ふたつの増幅器のうちのひとつの利得は、複数のサブバンドのそれぞれに対して異なるように規定されていてもよい。ふたつの増幅器のうちの残りの利得は、複数のサブバンドのそれぞれに対して略同一になるように規定されていてもよい。ふたつの増幅器のうちの残りの利得は、複数のサブバンドのそれぞれに対して異なるように規定されていてもよい。検出するステップは、ミキシングされた信号の直流成分をデジタル信号に変換するステップと、デジタル信号の値が変化するタイミングを検出したときに、トリガ信号を出力するステップと、を備えてもよい。
【００１４】
なお、以上の構成要素の任意の組合せ、本発明の表現を方法、装置などの間で変換したものもまた、本発明の態様として有効である。
【発明の効果】
【００１５】
本発明によれば、受信した信号をベースバンド帯域に変換するまでの段階において、ホッピングしている周波数の変化を検出できる。
【発明を実施するための最良の形態】
【００１６】
本発明を具体的に説明する前に、概要を述べる。本発明の実施例は、シンボル単位で周波数ホッピングがなされる通信システムでの受信装置に関する。周波数ホッピングされるシンボルには、ＯＦＤＭ変調方式が適用されており、実施例に係る通信システムは、マルチバンド・マルチキャリア方式を適用した超広帯域通信を対象とする。そのため、本実施例に係る通信システムでは、周波数ホッピングにおいて規定された複数のサブバンドのそれぞれが、広帯域の信号である。本実施例に係る受信装置は、高周波信号、例えば無線周波数信号を入力する。
【００１７】
受信装置は、入力した高周波信号をふたつに分岐し、ふたつの増幅器にそれぞれ入力する。ここで、ふたつの増幅器の利得は、異なった周波数依存性を有している。ひとつの増幅器での利得は、複数のサブバンドにわたる帯域（以下、「全帯域」という）にわたって、平坦な周波数特性を有する。別の増幅器の利得は、全帯域にわたって、単調減少するような周波数特性を有する。入力した高周波信号は、複数のサブバンドのいずれかに対応しており、ふたつの増幅器によって、サブバンドに対応した利得によってそれぞれ増幅される。ミキサは、ふたつの増幅器からのふたつの信号をミキシングし、ミキシングした信号の直流成分が抽出される。ここで、入力した高周波信号の周波数が変化すれば、ひとつの増幅器の利得は変わらないが、別の増幅器の利得が変化する。その結果、信号が含まれるサブバンドに応じて、ミキシングした信号の直流成分の値が変化する。
【００１８】
図１は、本発明の実施例に係る受信装置１００の構成を示す。受信装置１００は、アンテナ１０、無線部１２、ベースバンド処理部１４、制御部１６を含む。
【００１９】
アンテナ１０は、無線区間を介して、図示しない送信装置から信号を受信する。受信する信号は超広帯域通信に対応しているので、受信する信号には、ＯＦＤＭ変調方式とＦＨ方式が適用されている。それぞれのサブキャリアは、ＱＰＳＫ（Ｑｕａｄｒａｔｕｒｅ  Ｐｈａｓｅ  Ｓｈｉｆｔ  Ｋｅｙｉｎｇ）によって位相変調されている。さらに、ＯＦＤＭ変調方式におけるひとつの単位であるＯＦＤＭシンボルは、所定のホッピングパターンによって周波数ホッピングされている。ここで、ＯＦＤＭシンボルについては、後述する。なお、受信する信号は、所定の無線周波数を有している。
【００２０】
無線部１２は、アンテナ１０において受信した無線周波数の信号をベースバンド信号に周波数変換する。無線部１２は、受信した無線周波数の信号における周波数の変化を検出する。さらに、無線部１２は、検出した周波数の変化にもとづいて、受信した無線周波数の信号におけるホッピングバターンを特定し、特定したホッピングパターンによって発振器の周波数を変化させる。無線部１２は、受信した無線周波数の信号を変化させる際に、当該発振器から出力される信号を使用する。なお、無線部１２は、無線周波数の信号を中間周波数に変換してから、ベースバンド信号に周波数変換してもよいが、無線周波数の信号をベースバンド信号に直接変換してもよい。また、ベースバンド信号は、同相成分と直交成分を含んでいるので、一般的にふたつの信号線によって示されるべきであるが、ここでは、説明の明瞭化のためにひとつの信号線によって示すものとする。以下も同様である。
【００２１】
ベースバンド処理部１４は、無線部１２から入力したベースバンド信号を復調する。ベースバンド信号には、ＯＦＤＭ変調方式が適用されているので、ベースバンド処理部１４は、ベースバンド信号をＦＦＴ（Ｆａｓｔ  Ｆｏｕｒｉｅｒ  Ｔｒａｎｓｆｏｒｍ）する。さらに、ベースバンド処理部１４は、ＱＰＳＫに対応したデマッピング処理を施した後、デインターリーブ処理を施して、復号する。これに対応して、図示しない送信装置において、インターリーブと符号化がなされている。
【００２２】
制御部１６は、受信装置１００が所定の処理を実行できるように、受信装置１００全体を制御する。特に、制御部１６は、受信装置１００におけるタイミングを制御する。
【００２３】
図２は、受信装置１００において受信される信号のホッピング周波数を示す。ここでは、図示のごとく、「サブバンド１」から「サブバンド３」の３つの周波数帯域を使用する。「サブバンド１」から「サブバンド３」は、「サブバンド」と総称される。「サブバンド１」における信号が、さらにＯＦＤＭ変調されている。本実施例における通信システムは、周波数ホッピングを使用しているので、所定のタイミングで「サブバンド１」、「サブバンド２」「サブバンド３」を切り替えて使用する。ここでは、説明の簡略化のために、「サブバンド１」、「サブバンド２」、「サブバンド３」、「サブバンド１」の順にホッピング周波数が切り替えられるものとする。
【００２４】
ここで、ホッピング周波数の切り替えは、ＯＦＤＭシンボルを単位にして行われている。ＯＦＤＭ変調方式の送信装置は、ＩＦＦＴを実行する。さらに、ＩＦＦＴがなされた信号には、ガードインターバル（ＧＩ）が付加される。このような、ＩＦＦＴがなされた信号とＧＩとの組み合わせが、ＯＦＤＭシンボルとして定義される。本実施例において、ＩＦＦＴおよびＦＦＴのポイント数は、「１２８」とされる。
【００２５】
図３は、無線部１２の構成を示す。無線部１２は、差動変換部２０、ＬＮＡ（Ｌｏｗ  Ｎｏｉｓｅ  Ａｍｐｌｉｆｉｅｒ）２２、信号検出部２４、ＡＤ変換部２６、周波数判定部２８、発振器３０、周波数変換部３２、直交検波部３４、ＡＤ変換部３６、トリガ信号出力部３８を含む。
【００２６】
無線部１２には、周波数ホッピングされた信号が入力される。また。入力した信号は、無線周波数帯域の信号に相当する。ここで、入力した信号は、周波数領域において図２に対応しており、「サブバンド１」から「サブバンド３」のうちのいずれかが、使用されている。差動変換部２０は、入力した信号を差動信号に変換する。差動変換部２０は、後述の構成が差動形式に対応しているために配置される。なお、差動信号は、ふたつの成分を含んでいるので、一般的にふたつの信号線によって示されるべきであるが、ここでは、説明の明瞭化のためにひとつの信号線によって示すものとする。以下も同様である。また、後述の構成が差動形式に対応していなければ、差動変換部２０は不要である。
【００２７】
ふたつの増幅器、すなわち第１増幅部４０と第２増幅部４２は、差動変換部２０から入力した信号を所定の利得によってそれぞれ増幅する。ここで、第１増幅部４０と第２増幅部４２の利得は、周波数ホッピングにおいて規定された複数のサブバンドのうち、同一のサブバンドに対する第１増幅部４０の利得と第２増幅部４２の利得とを乗算した結果が、サブバンド単位で異なるように、規定されている。すなわち、第１増幅部４０の利得は、複数のサブバンドのそれぞれに対して異なるように規定されており、例えば、全帯域にわたって単調減少するような周波数特性を有している。また、第２増幅部４２の利得は、複数のサブバンドのそれぞれに対して略同一になるように規定されており、例えば、全帯域にわたって平坦な周波数特性を有している。
【００２８】
ここで、略同一とは、完全に同一でなくても、第１増幅部４０の利得の周波数特性と比較すれば、同一といえる程度であればよい。なお、第１増幅部４０のような周波数依存性を有する増幅器は、例えば、リアクタンス整合増幅器によって実現される。リアクタンス整合増幅器は、文献（高山著「マイクロ波トランジスタ」９章２節、電子情報通信学会）に記載されているので、説明を省略する。また、第２増幅部４２のような平坦な周波数特性は、例えば、抵抗整合型、負帰還形、進行波型増幅器によって実現され、上述の文献の９章３節に記載されているので、説明を省略する。
【００２９】
ミキサー４４は、第１増幅部４０と第２増幅部４２によってそれぞれ増幅された信号をミキシングする。第１増幅部４０と第２増幅部４２によってそれぞれ増幅された信号は、異なった振幅を有するが、同一のサブバンドに属する信号である。そのため、ミキシングによって、増幅された信号のサブバンドに対応する周波数の２倍の周波数成分の信号と、直流成分の信号が、ミキサー４４から出力される。ここで、ミキサー４４は、ギルバート型ミキサ、ゲート注入型ミキサ、カスケード型ミキサ、ダイオードミキサ等によって構成される。
【００３０】
ＤＣ抽出部４６は、ミキサー４４からのミキシングされた信号のうち、直流成分の信号を抽出する。ＤＣ抽出部４６は、後段のＡＤ変換部２６によってデジタル信号に変換すべき直流成分の信号が抽出できればよく、その構成は任意のものでよい。例えば、低域通過フィルタによって構成されてもよく、さらに増幅器が付加されてもよい。また、直流成分の近傍の利得が大きくなっているような周波数特性を有した増幅器によって構成されてもよい。また、ＤＣ抽出部４６は、ミキサー４４によってミキシングされた信号の強度を検出するといえる。
【００３１】
ＡＤ変換部２６は、ＤＣ抽出部４６において抽出された直流成分の信号に対して、アナログ−デジタル変換を施す。周波数判定部２８は、ＡＤ変換部２６からデジタル変換された信号にもとづいて、複数のサブバンドのいずれが使用されているかを判定する。すなわち、第１増幅部４０の利得と第２増幅部４２の利得とを乗算した結果が、サブバンド単位で異なるように規定されているので、周波数判定部２８は、デジタル変換された信号の値から、使用されているサブバンドを判定する。周波数判定部２８は、使用されているサブバンドから、ホッピングパターンを特定し、ホッピングバターンに対応するように、発振器３０の周波数を制御する。発振器３０は、周波数判定部２８からの制御にもとづいて、周波数を切り替えながら、信号を発振する。
【００３２】
トリガ信号出力部３８は、デジタル変換された信号の値から、周波数ホッピングによって周波数が切りかわるタイミングを検出する。さらに、トリガ信号出力部３８は、検出したタイミングをトリガ信号として、制御部１６等に出力する。制御部１６は、トリガ信号にもとづいて、タイミングを制御する。
【００３３】
ＬＮＡ２２は、差動変換部２０から入力した信号を増幅する。周波数変換部３２は、発振器３０から発振される信号によって、ＬＮＡ２２からの信号を周波数変換する。ここで、差動変換部２０から入力した信号におけるホッピングパターンと、発振器３０から発振される信号におけるホッピングパターンは、同期しているので、周波数変換部３２は一定の周波数によって規定される信号を出力する。ここでは、中間周波数の信号を出力するが、ベースバンド信号を直接出力してもよい。なお、周波数変換部３２は、ミキサー４４と同様に構成される。直交検波部３４は、周波数変換部３２からの信号をベースバンド信号に変換する。ＡＤ変換部３６は、直交検波部３４において変換されたベースバンド信号に対して、アナログ−デジタル変換を施す。
【００３４】
図４（ａ）−（ｃ）は、信号検出部２４における特性を示す。図４（ａ）は、第１増幅部４０の利得の周波数特性を示す。図示のごとく、周波数の増加と共に、利得は単調減少している。サブバンド１の中央の周波数における利得が「Ｇ１」、サブバンド２の中央の周波数における利得が「Ｇ２」、サブバンド３の中央の周波数における利得が「Ｇ３」になるように規定されており、利得は「Ｇ１」が最も大きく、「Ｇ３」が最も小さくなっている。
【００３５】
図４（ｂ）は、第２増幅部４２の利得の周波数特性を示す。図示のごとく、周波数に関係なく、利得は一定の値を示す。ここでは、利得を「Ｇ４」とする。図４（ｃ）は、ＤＣ抽出部４６から出力される直流成分の値の変化を示す。これは、ＡＤ変換部２６において、デジタル変換された信号の値にも対応する。ここで、入力した信号は、前述のごとく、「サブバンド１」、「サブバンド２」、「サブバンド３」の順に切りかわるものとする。時間「ｔ０」から「ｔ１」において、「サブバンド１」が使用されており、信号レベルは「Ｒ１」になっている。この信号レベル「Ｒ１」は、「Ｇ１」と「Ｇ４」にもとづいて導出される。
【００３６】
これに続く、時間「ｔ１」から「ｔ２」において、「サブバンド２」が使用されるので、第１増幅部４０の利得の変化に応じて信号レベルが減少し、信号レベルは「Ｒ２」になる。さらに、時間「ｔ２」から「ｔ３」において、「サブバンド３」が使用されるので、第１増幅部４０の利得の変化に応じて信号レベルが減少し、信号レベルは「Ｒ３」になる。このように、信号レベルの「Ｒ１」から「Ｒ３」に応じて、使用されるサブバンドを特定できる。しかしながら、信号レベルは、入力した信号の強度の影響も受け、入力した信号の強度は、無線伝送路の特性に応じて変動する。そのため、信号レベルの「Ｒ１」から「Ｒ３」の絶対値は重要でなく、それらの大小の関係が、使用されるサブバンドを特定するために重要である。
【００３７】
図５は、トリガ信号出力部３８の構成を示す。トリガ信号出力部３８は、第１インバータ５０、第２インバータ５２、第３インバータ５４、ＡＮＤ５６、第１ＮＯＲ５８、第２ＮＯＲ６０を含む。
【００３８】
第１インバータ５０から第３インバータ５４（以下、「インバータ」と総称する）は、デジタル信号を入力し、デジタル信号値を順次反転させる。ここで、インバータは、デジタル信号を遅延させるべき期間に応じた個数だけ設けられる。また、最終的に出力されるデジタル信号の値は、入力されたデジタル信号の値と反転される必要があるので、インバータは、奇数個設けられる。すなわち、インバータの個数は、「３」でなくても、「１」、「５」、「７」等であってもよい。
【００３９】
ＡＮＤ５６は、入力したデジタル信号と、インバータにおいて遅延させた信号との論理積を演算する。第１ＮＯＲ５８は、入力したデジタル信号と、インバータにおいて遅延させた信号との論理和の反転を演算する。第２ＮＯＲ６０は、ＡＮＤ５６から出力された信号と、第１ＮＯＲ５８から出力された信号との論理和の反転を演算する。
【００４０】
以上のような構成によって、デジタル信号の値が変化するタイミングでない場合、ＡＮＤ５６に入力されるふたつの信号の値が同一であり、第１ＮＯＲ５８に入力されるふたつの信号の値が同一であるので、第２ＮＯＲ６０は、「１」を出力する。一方、デジタル信号値が変化すれば、ＡＮＤ５６に入力されるふたつの信号の値が異なっており、第１ＮＯＲ５８に入力されるふたつの信号の値が異なっているので、第２ＮＯＲ６０は、「０」を出力する。
【００４１】
すなわち、デジタル信号の値が変化し、インバータによって遅延される期間にわたって、第２ＮＯＲ６０から出力される信号の値が変化することによって、周波数の切り替えタイミングをトリガ信号として出力する。ここでは、デジタル信号を１ビットの信号として説明した。すなわち、ＡＤ変換部２６によって変換されたデジタル信号のうちの１ビットが使用されている。しかしながら、トリガ信号出力部３８を変形させて、複数のビットの信号に対して、同様の処理を施してもよい。
【００４２】
以上の構成による信号検出部２４の動作を説明する。第１増幅部４０は、サブバンド１の信号を入力し、サブバンド１に対応した利得によって、サブバンド１の信号を増幅する。第２増幅部４２も、サブバンド１に対応した信号を入力し、所定の利得によって、サブバンド１の信号を増幅する。ミキサー４４は、第１増幅部４０によって増幅された信号と、第２増幅部４２によって増幅された信号とをミキシングし、所定のレベルを有した信号を出力する。
【００４３】
周波数ホッピングによって、サブバンド１の信号が、サブバンド２の信号に切りかわると、第１増幅部４０は、サブバンド２に対応した利得によって、サブバンド２の信号を増幅する。第２増幅部４２も、サブバンド１に対する利得と同一の利得によって、サブバンド２の信号を増幅する。ミキサー４４は、第１増幅部４０によって増幅された信号と、第２増幅部４２によって増幅された信号とをミキシングし、サブバンド１のときよりも低いレベルの信号を出力する。
【００４４】
本発明の実施例によれば、同一のサブバンドに対するふたつの増幅器の利得を乗算した結果が、サブバンド単位で異なるように規定されているので、周波数ホッピングによって信号のサブバンドが変化すれば、ミキサーによってミキシングされた信号の強度も変化し、使用されるサブバンドの変化を検出できる。また、ベースバンド処理部からの制御信号を受けつけることなく、使用されるサブバンドの変化を検出するので、デジタル信号処理における処理遅延の影響を受けない。
【００４５】
また、デジタル信号処理における処理遅延の影響を受けないので、高速にホッピング周波数が切り替えられる周波数ホッピングに対応できる。また、ベースバンド処理部からの制御信号を受けつけることなく、使用されるサブバンドの変化を検出するので、ベースバンド処理部に対するインターフェースを簡略化できる。また、ホッピングパターンの特定をベースバンド処理部に実行させないので、ベースバンド処理部の構成を簡易にできる。また、ふたつの増幅器とミキサーによって構成できるので、簡易な構成で実現できる。また、広帯域の信号にも対応できる。また、全帯域が１ＧＨｚ以上であり、ホッピング時間が１０ｎｓｅｃ以下であるような周波数ホッピング方式においても適用できる。
【００４６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４７】
本発明の実施例において、第２増幅部４２の利得は、平坦な周波数依存性を有しているものとした。しかしながらこれに限らず例えば、第２増幅部４２の利得は、複数のサブバンドのそれぞれに対して異なるように規定されていてもよい。例えば、単調増加や単調減少の周波数特性を有していてもよい。本変形例によれば、さまざまな特性の増幅器を第２増幅部４２として使用できる。つまり、同一のサブバンドに対する第１増幅部４０の利得と、第２増幅部４２の利得とを乗算した結果が、サブバンド単位で異なればよい。
【００４８】
本発明の実施例において、第１増幅部４０の利得や第２増幅部４２の利得が、周波数依存性を有する場合、単調増加や単調減少であるとした。しかしながらこれに限らず、高次の関数となるような周波数依存性を有していてもよい。本変形例によれば、さまざまな特性の増幅器を第１増幅部４０や第２増幅部４２として使用できる。また、増幅器の製造が容易になる場合もある。つまり、同一のサブバンドに対する第１増幅部４０の利得と、第２増幅部４２の利得とを乗算した結果が、サブバンド単位で異なればよい。
【図面の簡単な説明】
【００４９】
【図１】実施例に係る受信装置の構成を示す図である。
【図２】図１の受信装置において受信される信号のホッピング周波数を示す図である。
【図３】図１の無線部の構成を示す図である。
【図４】図４（ａ）−（ｃ）は、図３の信号検出部における特性を示す図である。
【図５】図３のトリガ信号出力部の構成を示す図である。
【符号の説明】
【００５０】
２０  差動変換部、  ２２  ＬＮＡ、  ２４  信号検出部、  ２６  ＡＤ変換部、  ２８  周波数判定部、  ３０  発振器、  ３２  周波数変換部、  ３４  直交検波部、  ３６  ＡＤ変換部、  ３８  トリガ信号出力部、  ４０  第１増幅部、  ４２  第２増幅部、  ４４  ミキサー、  ４６  ＤＣ抽出部、  １００  受信装置。
【図１】
2006101002.tif 000003
【図２】
2006101002.tif 000004
【図３】
2006101002.tif 000005
【図４】
2006101002.tif 000006
【図５】
2006101002.tif 000007